(57)【要約】【課題】正面輝度が高く、かつ、モアレの発生による視認性の低下を低減し、容易に製造可能な光学シート、これを備える面光源装置及び透過型表示装置を提供することである。【解決手段】光制御シート１５は、面光源装置に用いられ、出射側に凸形状の単位光学形状１５１がシート面に沿って垂直方向に一定の配列ピッチＰで複数配列されており、単位光学形状１５１は、頂部１５２が曲率半径ｒの円柱面からなり、曲率半径ｒが、０μｍ＜ｒ≦３０μｍを満たし、配列ピッチＰが、１２０μｍ≦Ｐ≦１７０μｍを満たすものとした。【選択図】図１
2011232367.tif 000002
【特許請求の範囲】
【請求項１】
複数の画素がマトリックス状に配列された透過型表示部を備える透過型表示装置の面光源装置に用いられ、
出射側に凸形状の単位光学形状がシート面に沿って一方向に一定の配列ピッチＰで複数配列された光学シートであって、
前記単位光学形状は、頂部と、前記頂部を挟んで位置する２つの側面部とを備え、
前記頂部は、曲率半径ｒが、０μｍ＜ｒ≦３０μｍを満たす曲面からなり、
前記配列ピッチＰは、１２０μｍ≦Ｐ≦１７０μｍを満たすこと、
を特徴とする光学シート。
【請求項２】
請求項１に記載の光学シートにおいて、
前記側面部は、平面であり、
前記側面部がシート面に平行な面となす角度αは、３５°≦α＜９０°を満たすこと、
を特徴とする光学シート。
【請求項３】
請求項１に記載の光学シートにおいて、
前記側面部は、少なくとも１つ以上の面からなり、
前記単位光学形状の配列方向に平行であってシート面に直交する断面において、前記単位光学形状の頂点とその単位光学形状に隣接する単位光学形状との間の谷部の谷底となる点とを通る直線がシート面に平行な面となす角度αＡは、３５°≦αＡ＜６０°を満たすこと、
を特徴とする光学シート。
【請求項４】
請求項１から請求項３までのいずれか１項に記載の光学シートにおいて、
前記単位光学形状は、熱可塑性樹脂によって形成されていること、
を特徴とする光学シート。
【請求項５】
請求項１から請求項４までのいずれか１項に記載の光学シートにおいて、
ヘイズ値が０％〜２０％であること、
を特徴とする光学シート。
【請求項６】
請求項１から請求項５までのいずれか１項に記載の光学シートにおいて、
前記単位光学形状の配列方向に平行であってシート面に垂直な断面での前記単位光学形状の断面形状は、略二等辺三角形形状であること、
を特徴とする光学シート。
【請求項７】
請求項１から請求項６までのいずれか１項に記載の光学シートと、
前記光学シートの背面から光を照射する光源部と、
を備える面光源装置。
【請求項８】
請求項７に記載の面光源装置と、
前記面光源装置によって背面から照射され、映像を表示する透過型表示部と、
を備える透過型表示装置。
【請求項９】
請求項８に記載の透過型表示装置において、
前記透過型表示部は、複数の画素がマトリックス状に配列され、
前記画素の配列ピッチは、０．４〜０．８ｍｍであること、
を特徴とする透過型表示装置。
【発明の詳細な説明】
【技術分野】
【０００１】
本発明は、光を集光及び拡散する作用を有する光学シート、これを用いた面光源装置及び透過型表示装置に関するものである。
【背景技術】
【０００２】
従来、透過型表示装置や面光源装置に用いられる光学シートには、その片面又は両面に規則的なピッチで単位レンズ等が配列され、所望する光の集光性や拡散性を付与するために、そのレンズ形状等には様々な工夫が施されている（例えば、特許文献１参照）。
ここで、例えば、液晶透過型表示装置において映像を表示する表示部である液晶パネルには、規則的なピッチで画素が形成されている。そのため、前述のような規則的なピッチで単位レンズ等が形成されている光学シートと液晶パネルとを重ね合せて面光源装置とした場合、特に相互のピッチが近似していると、モアレと呼ばれる明暗縞が発生し、視認性（画面の見易さ）や画質の低下が生じることが知られている。
【０００３】
このようなモアレを低減する方法としては、一方の配列方向に対して他方の配列方向が角度をなすように配置する方法（例えば、特許文献２）や、画素の配列ピッチに対して光学シートの単位レンズの配列ピッチをより小さくする方法がある。
【先行技術文献】
【特許文献】
【０００４】
【特許文献１】特表２００１−５２４２２５号公報
【特許文献２】特開２０００−２０６５２９号公報
【発明の概要】
【発明が解決しようとする課題】
【０００５】
特許文献１では、集光性や拡散性等の改善に関する開示はあるが、モアレ低減に関する開示はなく、モアレによる画質の低下を招く可能性があった。
また、特許文献２では、液晶パネルの画素列に対して、導光板溝列が角度θ（５〜４５°）をなすように配置することが記載されているが、このような斜めに走る溝を形成した光学シートや導光板を製造することは困難であったり、生産コストがかかったりするという問題があった。
さらに、モアレ低減のために、画素のピッチに対して単位レンズのピッチが非常に小さい光学シートとする場合には、製造方法や使用可能な樹脂等が制限されるという問題があった。
加えて、高い集光性や適度な拡散性等の光学特性は、高い正面輝度や明るさの均一性等を実現するために光学シートにおいては常々要求されることである。
【０００６】
本発明の課題は、正面輝度が高く、かつ、モアレの発生による視認性の低下を低減し、容易に製造可能な光学シート、これを備える面光源装置及び透過型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、複数の画素がマトリックス状に配列された透過型表示部を備える透過型表示装置の面光源装置に用いられ、出射側に凸形状の単位光学形状（１５１）がシート面に沿って一方向に一定の配列ピッチＰで複数配列された光学シートであって、前記単位光学形状は、頂部（１５２）と、前記頂部を挟んで位置する２つの側面部（１５３，１５４）とを備え、前記頂部は、曲率半径ｒが、０μｍ＜ｒ≦３０μｍを満たす曲面からなり、前記配列ピッチＰは、１２０μｍ≦Ｐ≦１７０μｍを満たすこと、を特徴とする光学シート（１５）である。
請求項２の発明は、請求項１に記載の光学シートにおいて、前記側面部（１５３，１５４）は、平面であり、前記側面部がシート面に平行な面となす角度αは、３５°≦α＜９０°を満たすこと、を特徴とする光学シート（１５）である。
請求項３の発明は、請求項１に記載の光学シートにおいて、前記側面部は、少なくとも１つ以上の面からなり、前記単位光学形状の配列方向に平行であってシート面に直交する断面において、前記単位光学形状の頂点とその単位光学形状に隣接する単位光学形状との間の谷部の谷底となる点とを通る直線がシート面に平行な面となす角度αＡは、３５°≦αＡ＜６０°を満たすこと、を特徴とする光学シートである。
請求項４の発明は、請求項１から請求項３までのいずれか１項に記載の光学シートにおいて、前記単位光学形状（１５１）は、熱可塑性樹脂によって形成されていること、を特徴とする光学シート（１５）である。
【０００８】
請求項５の発明は、請求項１から請求項４までのいずれか１項に記載の光学シートにおいて、ヘイズ値が０％〜２０％であること、を特徴とする光学シート（１５）である。
請求項６の発明は、請求項１から請求項５までのいずれか１項に記載の光学シートにおいて、前記単位光学形状（１５１）の配列方向に平行であってシート面に垂直な断面での前記単位光学形状の断面形状は、略二等辺三角形形状であること、を特徴とする光学シート（１５）である。
【０００９】
請求項７の発明は、請求項１から請求項６までのいずれか１項に記載の光学シート（１５）と、前記光学シートの背面から光を照射する光源部（１２，１３）と、を備える面光源装置（１２，１３，１４，１５）である。
請求項８の発明は、請求項７に記載の面光源装置（１２，１３，１４，１５）と、前記面光源装置によって背面から照射され、映像を表示する透過型表示部（１１）と、を備える透過型表示装置（１０）である。
請求項９の発明は、請求項８に記載の透過型表示装置において、前記透過型表示部（１１）は、複数の画素がマトリックス状に配列され、前記画素の配列ピッチは、０．４〜０．８ｍｍであること、を特徴とする透過型表示装置（１０）である。
【発明の効果】
【００１０】
本発明によれば、以下の効果を奏することができる。
（１）本発明による光学シートは、出射側に凸形状の単位光学形状がシート面に沿って一方向に一定の配列ピッチＰで複数配列され、単位光学形状は、頂部と、頂部を挟んで位置する２つの側面部とを備え、頂部は、曲率半径ｒが、０μｍ＜ｒ≦３０μｍを満たす曲面からなり、配列ピッチＰは、１２０μｍ≦Ｐ≦１７０μｍを満たすので、集光性を維持しながら適度な拡散性を発揮し、ＬＣＤパネル等の画素がマトリックス状に配列された透過型表示部を積層した場合にも、ＬＣＤパネル等の透過型表示部の画素の配列ピッチと単位光学形状の配列ピッチとの干渉によるモアレの発生を低減し、映像の視認性の低下を低減できる。
【００１１】
（２）側面部は、平面であり、側面部がシート面に平行な面となす角度αは、３５°≦α＜９０°を満たすので、集光性を維持し、正面輝度を高めることができる。
【００１２】
（３）側面部は、少なくとも１つ以上の面からなり、単位光学形状の配列方向に平行であってシート面に直交する断面において、単位光学形状の頂点とその単位光学形状に隣接する単位光学形状との間の谷部の谷底となる点とを通る直線がシート面に平行な面となす角度αＡは、３５°≦αＡ＜６０°を満たすので、集光性を維持し、正面輝度を高めることができる。また、所望する光学特性に合わせて、適宜、単位光学形状の形状を詳細に設計することができる。
【００１３】
（４）単位光学形状は、熱可塑性樹脂によって形成されているので、押し出し成形によって容易に製造できる。
【００１４】
（５）光制御シートは、ヘイズ値が０％〜２０％であるので、正面輝度を落とすことなく、適度な拡散性によって輝度ムラ等を低減することができる。
【００１５】
（６）単位光学形状の配列方向に平行であってシート面に垂直な断面での単位光学形状の断面形状は、略二等辺三角形形状であるので、集光性を高め、高い正面輝度を実現することができる。
【００１６】
（７）本発明による光学シートと、この光学シートの背面から光を照射する光源部とを備える面光源装置であるので、ＬＣＤパネル等を積層し、透過型表示装置に用いた場合にも、モアレによる視認性の低下を低減しながら、正面輝度が高く視野角の広い良好な映像を表示できる。
【００１７】
（８）本発明による面光源装置と、その面光源装置によって背面から照射され、映像を表示する透過型表示部とを備える透過型表示装置であり、透過型表示部のマトリックス状に配列された複数の画素の配列ピッチが０．４〜０．８ｍｍであるので、モアレの発生を低減し、かつ、正面輝度が高く視野角の広い、良好な映像を表示できる。
【図面の簡単な説明】
【００１８】
【図１】本実施形態の透過型表示装置を説明する図である。
【図２】単位光学形状の形状を説明する図である。
【図３】各画面サイズの表示装置において、単位光学形状の配列ピッチと発生するモアレのモアレピッチとの関係を示すグラフである。
【図４】測定例１〜８の光制御シートの配列ピッチＰと正面輝度の関係を示すグラフである。
【図５】単位光学形状の変形形態を説明する図である。
【発明を実施するための形態】
【００１９】
以下、図面等を参照して、本発明の実施形態について説明する。
なお、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２０】
（実施形態）
図１は、本実施形態の透過型表示装置を説明する図である。
本実施形態における透過型表示装置１０は、ＬＣＤパネル１１，反射板１２，発光管１３，乳白板１４，光制御シート１５等を備え、ＬＣＤパネル１１に形成される映像情報を背面から照明して表示する透過型液晶表示装置である。なお、ＬＣＤパネル１１を背面から照明する面光源装置としては、反射板１２，発光管１３，乳白板１４，光制御シート１５が該当している。
【００２１】
ＬＣＤパネル１１は、透過型の液晶表示素子により形成され、複数の画素がマトリックス状に配置されている。本実施形態のＬＣＤパネルは、対角３２インチ（６９７ｍｍ×３９２ｍｍ）、解像度１２８０×７６８の表示を行うことができ、画素の配列ピッチは０．５１ｍｍ（５１０μｍ）である。
発光管１３は、面光源装置の光源部を形成する線光源の冷陰極管である。図１では、模式的に発光管１３が６本配列されている様子を示しているが、本実施形態の発光管１３は、実際には、略２０ｍｍ間隔で等間隔に１８本が並列に並べられている。発光管１３の背面には、反射板１２が設けられている。
発光管１３の長手方向に沿った方向は、面光源装置の使用状態における水平方向（画面左右方向）となっており、また、発光管１３が並ぶ方向は、面光源装置の使用状態における垂直方向（画面上下方向）となっている。なお、以下の説明において、特に明記しない限り、垂直方向、水平方向とは、面光源装置及び透過型表示装置１０の使用状態における垂直方向、水平方向であるとする。
【００２２】
反射板１２は、発光管１３の背面側（乳白板１４とは反対側）の全面にわたって設けられており、背面側へ進む照明光を拡散反射して乳白板１４方向（出射方向）へ向かわせ、入射光照度を均一に近付ける働きを持つ。
乳白板１４は、無指向性の光拡散特性を有した拡散板であり、光制御シート１５の光源側（発光管１３のＬＣＤパネル１１側）に配置されている。
【００２３】
光制御シート１５は、発光管１３から出射した光を、所定の視野角範囲内に集光かつ拡散する作用を有する光学シートである。光制御シート１５の出射側（観察面側）には、単位光学形状１５１がシート面に沿って一方向（一次元方向）に一定のピッチで複数配列されている。また、光制御シート１５の入射側の面１５５（図２参照）は、本実施形態では略平面状となっている。
ここで、シート面とは、各光学シートにおいて、その光学シート全体として見たときにおけるその光学シートの平面方向となる面を示すものであり、本明細書中、及び、特許請求の範囲においても同一の定義として用いている。例えば、光制御シート１５のシート面は、光制御シート１５全体として見たときにおける、光制御シート１５の平面方向となる面であり、光制御シート１５の入射側（発光管１３側）の面１５５と平行な面である。
本実施形態の単位光学形状１５１は、水平方向に延在する略三角柱形状であり、シート面に沿って垂直方向に複数配列されている。
【００２４】
図２は、単位光学形状の形状を説明する図である。この図２では、図１に示す矢印Ｓ１−Ｓ２断面での一部を拡大して示している。なお、図２において破線で示す平面Ｓは、シート面に平行な平面である。
図２に示すように、単位光学形状１５１は、その配列方向に平行であってかつシート面に垂直な方向における断面での断面形状が略三角形形状である。単位光学形状１５１は、頂点ｔを含む頂部１５２と、頂部１５２を挟んで位置する２つの側面部１５３，１５４とを備え、一定の配列ピッチＰで配列されている。この配列ピッチＰは、１２０μｍ≦Ｐ≦１７０μｍを満たすことが好ましく、本実施形態の配列ピッチＰ＝１３８μｍである。
頂部１５２は、曲率半径ｒの曲面（円柱面）であり、単位光学形状１５１の頂点ｔを有している。この曲率半径ｒは、０μｍ＜ｒ≦３０μｍを満たすことが好ましく、本実施形態の曲率半径ｒ＝３０μｍである。
【００２５】
側面部１５３，１５４は、頂部１５２を挟んで向かい合う位置にあり、単位光学形状１５１の側面を形成している。２つの側面部１５３，１５４と頂部１５２とは、滑らかに繋がっている。
本実施形態の側面部１５３，１５４は、平面であり、シート面に平行な面に対して共に角度αをなしている。従って、本実施形態の単位光学形状１５１は、シート面に垂直であって単位光学形状１５１の配列方向に平行な断面での断面形状が、図２に示すように略二等辺三角形形状である。この角度αは、３５°≦α＜９０°を満たすことが好ましく、本実施形態では角度α＝４５°である。
また、単位光学形状１５１の頂点ｔとその単位光学形状１５１に隣接する単位光学形状１５１との間の谷部の谷底となる点ｖとを通る直線が、シート面となす角度αＡは、３５°≦αＡ＜６０°を満たすことが好ましく、本実施形態ではαＡ＝３６°である。
さらに、本実施形態の単位光学形状１５１の高さ（単位光学形状１５１間の谷底となる点と単位光学形状１５１の頂点ｔとの厚み方向における距離）ｈは、ｈ＝６０μｍであり、この光制御シート１５の厚さｄは、ｄ＝３５０μｍである。
【００２６】
この光制御シート１５は、熱可塑性樹脂を押し出し成形することにより形成されている。本実施形態の光制御シート１５は、屈折率が１．５７のＡＳ樹脂（アクリロニトリル−スチレン共重合体）を用いて形成されているが、これに限らず、例えば、ＰＥＴ（ポリエチレンテレフタレート樹脂）やＰＣ（ポリカーボネート樹脂），ＰＭＭＡ（ｐｏｌｙｍｅｔｈｙｌｍｅｔｈａｃｒｙｌａｔｅ：ポリメタクリル酸メチル樹脂），ＭＢＳ（メタクリレート−ブタジエン−スチレン樹脂），ＭＳ（メタクリレート−スチレン樹脂），スチレン，シクロオレフィン等の光透過性を有する他の熱可塑性樹脂を適宜選択して用いてもよい。
【００２７】
また、光制御シート１５のヘイズ値は、０％以上であって２０％以下であることが好ましく、本実施形態の光制御シート１５のヘイズ値は、５％である。このヘイズ値は、光制御シート１５の単位光学形状１５１間を光制御シート１５と同一材料で埋めてその出射側の面を平面とし、ヘイズメーター（ＡＳＴＭ  Ｄ−１００３対応のＨＭ−１５０  株式会社村上色彩技術研究所製）を用いて測定したものであり、本願明細書及び特許請求の範囲においていうヘイズ値とは、上述のような測定方法を用いて測定したものであるとする。このヘイズ値は、２０％を超えると、正面輝度が低下するため、好ましくない。
【００２８】
略三角柱形状である単位光学形状１５１の側面部１５３，１５４が、シート面に平行な面となす角度αは、３５°以上９０°未満（３５°≦α＜９０°）であることが好ましい。これは、角度αが３５°未満である場合には、単位光学形状１５１の高さが低くなり、集光効果が弱まるからである。
一般的に、略楕円柱形状や略三角柱形状といった凸形状の単位光学形状である場合、単位光学形状の高さに対して配列ピッチが約２倍の大きさの場合に、集光性が高く、正面輝度が向上することが知られている。
ここで、角度αが３５°未満であると、単位光学形状１５１の断面形状は、その高さｈに対して配列ピッチＰが大きくなり、単位光学形状１５１の高さに対する配列ピッチＰの比が２倍を超えて大きな値となる。すると単位光学形状の断面形状は、底角の小さい、なだらかな三角形形状となり、単位光学形状１５１による集光効果が弱くなる。従って、角度αは、３５°以上であることが好ましい。また、単位光学形状の断面形状が略三角形状である場合、２つの側面部がシート面に平行な面となす角度αがいずれも９０°以上となることはない。また、一方の側面部とシート面に平行な面とがなす角度αが９０°以上である場合には、単位光学形状の頂部が、配列方向においてその一方の側面部側に向いた形となり、光線の制御方向に偏りが生まれ、好ましい視野角を得られず、成形も困難になり、好ましくない。以上のことから、角度αは、３５°≦α＜９０°を満たすことが好ましい。
本実施形態において角度αは、α＝４５°であるので、角度αが好ましい範囲を満たしており、高い集光性を発揮することができ、正面輝度を向上させることができる。
【００２９】
次に、単位光学形状１５１の頂点ｔとその単位光学形状１５１に隣接する単位光学形状１５１との間の谷部の谷底となる点ｖとを通る直線とシート面とがなす角度αＡは、３５°≦αＡ＜６０°を満たすことが好ましい。これは、上述のように、角度αＡが３５°未満の場合、前述の角度αと同様に、単位光学形状の断面形状は、底角の小さい、なだらかな三角形形状となり、単位光学形状１５１による集光効果が弱くなり、正面輝度が低下する場合があるからである。
また、単位光学形状１５１は、頂部が曲面で形成されているため、角度αＡは角度αよりも小さくなる傾向にある。そのため、角度αＡがαＡ≧６０°となる場合、角度αが大きく急峻な斜面を有する形状となり、単位光学形状の高さｈに対して配列ピッチＰが小さくなり、正面輝度が低下し、成形も困難となる。
以上のことから、角度αＡは、３５°≦αＡ＜６０°を満たすことが好ましい。本実施形態の単位光学形状１５１は、角度αＡ＝３６°であるので、上述の好ましい範囲を満たしており、高い集光性を発揮することができ、正面輝度を向上させることができる。
【００３０】
次に、配列ピッチＰと曲率半径ｒについて説明する。
図３は、各画面サイズの表示装置において、単位光学形状の配列ピッチと発生するモアレのモアレピッチとの関係を示すグラフである。図３の縦軸は、発生するモアレのピッチであり、横軸は単位光学形状１５１の配列ピッチＰである。
光制御シートとＬＣＤパネルとを積層した場合に生じるモアレは、規則的に配列されたＬＣＤパネルの画素ピッチの大きさと光制御シートに形成された単位光学形状の配列ピッチの大きさとが近い場合に生じ易いことが知られている。
一般的に流通している液晶透過型表示装置において、その画素は、ＬＣＤパネル１１の画面サイズの大きさに比例して大きくなる傾向を有しており、その画素（ＲＧＢ１セットで１画素とする）の配列ピッチは、現状、約０．４〜０．８ｍｍである。
【００３１】
そこで、画面サイズの異なるＬＣＤパネル８種類に対し、光制御シート１５の単位光学形状の配列ピッチＰを変化させた場合のモアレの発生及び発生するモアレのモアレピッチ（明暗縞のピッチ）を理論計算により求めた。この理論計算において、ＬＣＤパネルの画面サイズは、２６インチ，３２インチ，３７インチ，４０インチ，４６インチ，５２インチ，６０インチ，６５インチの８種類とした。そして、この８種類の画面サイズのＬＣＤパネルの画素ピッチをそれぞれ測定し、その画素ピッチにおいて、単位光学形状の配列ピッチＰを、０．０１〜０．２ｍｍまで０．００２ｍｍ毎に変化させた場合に、単位光学形状の配列ピッチＰと画素ピッチとの干渉により発生するモアレのモアレピッチを理論計算により算出した。図３に示すグラフは、この理論計算から得られたものであり、単位光学形状の配列ピッチＰ（０．１〜０．２ｍｍ）と、発生するモアレのモアレピッチとの関係を示している。なお、これら８種類のＬＣＤパネルの画素の配列ピッチは、約０．４〜０．８ｍｍの範囲内である。
【００３２】
ここで、上述のような画面サイズ（２６〜６５インチ）の液晶透過型表示装置が一般的に使用される条件下では、ＬＣＤパネル１１の画面（観察面）に対して数１０ｃｍから数ｍ程度離れて映像が観察されるため、モアレが発生した場合であっても、そのモアレピッチが２ｍｍ以下である場合には人間の目には殆ど視認されない。
そこで、ピッチを３μｍ毎に変化させたチャート図を用いて、理論計算により得られた図３に示すグラフから得られる理論計算上のモアレピッチと、チャート図から得られるモアレピッチとの整合性を確認し、８種類のＬＣＤパネル１１においてモアレが極力生じにくい、又は、モアレが生じた場合にそのモアレピッチが２ｍｍ以下となると予想される測定用の単位光学形状１５１の配列ピッチＰを８点選んだ。
そして、実際にこれらの８点の配列ピッチＰの単位光学形状１５１を有する測定例１〜８の光制御シートを用いた透過型表示装置１０を作製し、目視によるモアレの視認の有無や、正面輝度について調べた。
【００３３】
測定例１〜８の光制御シートは、単位光学形状１５１の配列ピッチＰ及び角度αＡが異なる点以外は、本実施形態の光制御シート１５と略同様の形状を有しており、側面部１５３，１５４がシート面に平行な面となす角度α＝４５°、頂部１５２の曲率半径ｒ＝３０μｍである。測定例１〜８の光制御シートの単位光学形状の配列ピッチＰは、それぞれ、９３μｍ，１３６μｍ，１３８μｍ，１４８μｍ，１５７μｍ，１６２μｍ，１７０μｍ，２０４μｍである。
また、測定例１〜８の光制御シートに積層されるＬＣＤパネルは、画面サイズが２６インチ，３２インチ，３７インチ，４０インチ，４２インチ，４６インチ，５２インチ，６０インチ，６５インチであり、各ＬＣＤパネルにおける配列ピッチはそれぞれ異なるが、いずれも０．４〜０．８ｍｍの範囲内である。なお、測定に用いたＬＣＤパネルのうち、画面サイズが２６インチ及び３２インチのものは、ＷＸＧＡであり、画面サイズ３７インチ〜６５インチのものは、ＦＨＤである。
モアレの視認に関しては、暗室環境下で、透過型表示装置から１０００ｍｍ離れた位置から目視によって観察した。
【００３４】
【表１】
2011232367.tif 000003
【００３５】
表１は、測定例１〜８の光制御シートに関するモアレの評価結果を示す表である。なお、表１において、単位光学形状の配列方向に関して水平と記載されているものは、単位光学形状の配列方向が水平方向（画面左右方向）であり、単位光学形状の長手方向が垂直方向に平行である場合を示し、単位光学形状の配列方向に関して垂直と記載されているものは、単位光学形状の配列方向が垂直方向（画面上下方向）であり、単位光学形状の長手方向が水平方向に平行である場合を示している。単位光学形状の配列方向を変えてモアレを評価した目的は、ＲＧＢ１セットで１画素とする場合にＲＧＢの配列状態によるモアレの影響を調べるためである。
表１に示す○は、モアレが発生していない又はモアレが発生しているが視認されにくく、映像の視認性が良好であることを示し、△は、モアレが多少視認されるが使用可能な範囲であることを示し、×は、モアレの発生により映像の視認性が低下し、使用に適さないことを示している。
表１に示すように、配列ピッチＰが、９３〜１５７μｍである測定例１〜５の光制御シートでは、モアレの影響が少なく、比較的良好な映像が観察される画面サイズが多かった。また、配列ピッチＰが、１６２，１７０μｍである測定例６，７の光制御シートでは、測定例１〜５の光制御シートに比べてモアレが視認される画面サイズ（画素ピッチ）が増えたが、使用可能な画面サイズが多く、画素による制限は少なかった。
【００３６】
しかし、配列ピッチＰが２０４μｍである測定例８の光制御シートでは、多くの画面サイズにおいて、モアレピッチは２ｍｍ以下であるが、モアレ強度が強いモアレが視認され、視認性が著しく低下して使用には適さなかった。このように、配列ピッチＰが大きくなるにつれて、モアレが視認されやすくなる原因は、配列ピッチＰが大きくなるにつれて画素の配列ピッチの値に近くなり、干渉が生じ易くなるからである。そのため、強度の大きなモアレが生じやすく、強度の大きなモアレが生じると、生じたモアレピッチが２ｍｍ以下であってもモアレとして観察され、画像の視認性が低下する。
また、配列ピッチＰが２０４μｍの測定例８の光制御シートでは、ＬＣＤパネル１１の観察面に近い位置で観察した場合に、単位光学形状１５１が配列されている様子が筋状に観察され、視認性及び画質が低下するという現象が観察された。この現象は、配列ピッチＰが２００μｍ以上となると、顕著に観察された。
以上のことから、モアレの視認低減を図るためには、単位光学形状１５１の配列ピッチＰは、１７０μｍ以下であることが好ましい。
【００３７】
図４は、測定例１〜８の光制御シートの配列ピッチＰと正面輝度の関係を示すグラフである。図４のグラフ中に示す曲線は、測定結果から得られた結果を基にして得られた近似曲線である。
測定例１〜８の光制御シートの正面輝度は、測定例１〜８の光制御シートを用いた面光源装置を暗室環境下において、画面の中央を通り観察面に直交する直線上に位置し、ＬＣＤパネルの観察面から１０００ｍｍ離れた位置において輝度計（ＢＭ−５Ａ  株式会社トプコン製）を用いて測定した。
正面輝度の評価に関しては、単位光学形状の断面形状が頂角９０度の二等辺三角形形状である点が本実施形態の光制御シートとは異なる以外は、本実施形態と略同様の形態である比較例の光制御シートでの正面輝度を基準（１００％）とし、その基準となる比較例の光制御シートの正面輝度に対して９３％以上の輝度を有するものが良好であるとし、９３％未満であるものを不可とした。輝度は、数％異なるだけでも、人間の目には大きな差異となって視認される。そのため、基準に対して９３％未満のものでは９３％以上のものと比べて明らかに画面が暗く観察される。そのため、この測定においては、正面輝度に関して、基準に対して９３％以上であるものを、正面輝度が良好であるとした。
【００３８】
図４に示すように、配列ピッチＰが１３６〜２０４μｍである測定例２〜７の光制御シートでは、正面輝度が基準に対していずれも９３％以上となり、十分に明るい映像が得られた。しかし、配列ピッチＰが９３μｍの測定例１である光制御シートでは、正面輝度が基準に対して約９１．７％であり、９３％未満となり、映像が暗く、使用に適さないものであった。従って、図４に示すグラフから、十分な正面輝度を得るためには、配列ピッチが１２０μｍ以上であることが好ましい。なお、図４のグラフでは、配列ピッチＰが１１０μｍの場合にも、正面輝度が基準に対して９３％以上となっているが、この図４に示す曲線は近似曲線であるため、確実に正面輝度が基準に対して９３％以上となる１２０μｍを下限とした。
【００３９】
曲率半径ｒを一定とした場合、配列ピッチが小さくなるにつれて正面輝度が低下する傾向は、図４に示すグラフからも明らかである。これは、頂部１５２の曲率半径ｒを一定とした場合、配列ピッチＰが小さくなるにつれて、単位光学形状１５１の出射面に占める頂部１５２の曲面の割合が大きくなり、単位光学形状１５１から出射する光のうち、頂部１５２の曲面によって拡散される光の割合が大きくなることに起因する。また、単位光学形状１５１において頂部１５２が占める割合が大きくなると、単位光学形状１５１は、高さの低いなだらかな形状になるため、集光性が低下する点も作用すると考えられる。
【００４０】
以上のことから、単位光学形状１５１の配列ピッチＰは、１２０μｍ≦Ｐ≦１７０μｍであれば、現状の一般的な各サイズのＬＣＤパネル（画素の配列ピッチが約０．４〜０．８ｍｍ）と積層しても、モアレが比較的発生しにくい、又は、発生した場合にもモアレピッチが２ｍｍ以下となって視認されにくく、また、モアレの強度も小さく、良好な映像が得られる。なお、単位光学形状１５１の配列ピッチＰは、光制御シート１５を用いる透過型表示装置のＬＣＤパネル１１の画面サイズの大きさ（画素ピッチ）に応じて、１２０μｍ≦Ｐ≦１７０μｍを満たす範囲内で適宜選択することができる。
本実施形態の光制御シート１５は、配列ピッチＰ＝１３８μｍであり、上述の好ましい範囲を満たしているので、正面輝度を十分に保ちながら、モアレによる視認性の低下を大幅に低減することができる。
【００４１】
次に、単位光学形状の頂部１５２の曲率半径ｒと正面輝度との関係について調べた。
まず、単位光学形状１５１の頂部１５２の曲率半径ｒが異なる点以外は、本実施形態の光制御シート１５と略同様の形態である測定例９〜１４の光制御シートを用意した。そして、この測定例９〜１４の光制御シートを用いた面光源装置を用意し、前述の正面輝度の測定方法と同様の方法を用いて調べた。
なお、測定例９〜１３の光制御シートの頂部１５２の曲率半径ｒは、それぞれ、１８μｍ、２１μｍ、２３μｍ、２７μｍ、３５μｍ、３９μｍであり、配列ピッチＰはいずれも前述の好ましい配列ピッチＰの最小値である１２０μｍである。
【００４２】
【表２】
2011232367.tif 000004
【００４３】
表２は、頂部の曲率半径ｒと正面輝度との関係を示す表である。
正面輝度は、前述の比較例の光制御シート（単位光学形状の断面形状が頂角９０度の二等辺三角形形状である以外は、本実施形態の光制御シートと略同様の形態）における正面輝度を基準（１００％）とし、その基準に対して９３％以上の輝度を有するもの良好であるとして表２中に○で示し、９３％未満であるものを使用に適さない不可として表２中に×で示した。
【００４４】
表２に示すように、配列ピッチＰが１２０μｍで一定である場合、曲率半径ｒが１８μｍ，２１μｍ，２７μｍである測定例９〜１２の光制御シートは、正面輝度が９３％以上となり、輝度が高く良好な映像が表示された。また、曲率半径ｒが３５μｍ、３９μｍである測定例１３，１４の光制御シートでは、正面輝度が９３％未満となり、画面が暗くなって使用に適さなかった。
これは、前述のように、曲率半径ｒが大きくなりすぎると、単位光学形状の出射面における曲面部分が増加するため、拡散される光が増えることや、単位光学形状の高さが低くなって集光効果が低下することに起因する。
以上のことから、頂部の曲率半径ｒは、３０μｍ以下（０＜ｒ≦３０μｍ）であることが好ましい。
本実施形態の光制御シート１５は、ｒ＝３０μｍであるので、上述の好ましい範囲を満たしている。従って、集光性を維持しながら適度に拡散性を発揮することができ、高い正面輝度を有し、かつ、輝度ムラの低減や広い視野角が可能である。
【００４５】
なお、頂部１５２の曲率半径ｒは、小さくすればするほど、頂角９０度の単位プリズム形状に形状が近づいていくため、光制御シート１５の正面輝度が向上する傾向を示す。
しかし、例えば、押し出し成形によって光制御シート１５を作製する場合には、曲率半径ｒを小さくすると、樹脂の粘度や温度、配列ピッチＰの大きさによっては、成形型の隅まで樹脂が充填されない場合があり、頂角の精度が低い形状となってしまう。
また、配列ピッチＰの大きさを一定とし、頂部１５２の曲率半径ｒを小さくして、単位光学形状の形状を頂角９０度の単位プリズム形状に近づけていくと、光の集光性及び指向性が強くなりすぎ、拡散性が弱くなるため、正面輝度が高いものの、視野角が非常に狭くなったり、組み合わせる他の光学シート等によっては発光管１３の位置に起因した輝度ムラ（管ムラ）等が発生したりする場合がある。
従って、ここでは曲率半径ｒの下限値を特に規定しないが、所望する光学特性や、製造方法等に応じて、上述の好ましい範囲内において、曲率半径ｒの値は選択してよいものとする。
【００４６】
以上のことから、本実施形態によれば、光制御シート１５は、良好な光の集光性や拡散性を有し、かつ、一般的な各サイズのＬＣＤパネルと積層した場合にもモアレの発生を低減できるので、正面輝度が高く、輝度ムラ等のない視野角の広い良好な映像を表示し、しかも、モアレによる視認性の低下を防止することができる。
また、本実施形態によれば、ファインピッチのような細かい配列ピッチとしなくともモアレによる視認性の低下を低減できるので、紫外線硬化型樹脂等を用いた賦型性の高い紫外線成形に限らず、押し出し成形でも容易に製造することができる。従って、製造方法によらず、モアレによる画像の視認性の低下を低減し、良好な映像を表示できる。
さらに、本実施形態によれば、現状の一般的な画面サイズのＬＣＤパネルの画素ピッチに対応でき、画面サイズ（すなわち、画素ピッチ）によらず、光制御シート１５を用いることができる。従って、生産コストを低減することができる。
【００４７】
（変形形態）
以上説明した実施形態に限定されることなく、種々の変形や変更が可能であって、それらも本発明の範囲内である。
（１）本実施形態では、単位光学形状１５１は、その配列方向に平行及び厚み方向に平行な断面での断面形状が略二等辺三角形形状である例を示したが、これに限らず、例えば、その断面形状が略楕円形形状や多角形形状等であってもよいし、曲線と直線とを組み合わせて形成される形状としてもよい。
図５は、単位光学形状の変形形態を説明する図である。図５では、図２に示す断面に相当する断面での変形形態の単位光学形状の断面形状を示している。
なお、前述の実施形態と同様の機能を果たす部分には、同一の符号、又は、末尾に同一の符号を付して、重複する説明を省略する。
【００４８】
図５（ａ）に示す単位光学形状２５１は、頂部１５２と側面部２５３，２５４を有し、側面部２５３，２５４は、同一の楕円柱形状の一部である。この楕円柱形状は、長軸がシート面に直交する形態となっている。このとき、単位光学形状２５１の頂点ｔ２と谷底となる点ｖ２とを通る直線が、シート面となす角度αＡは、３５°≦αＡ＜６０°を満たすものとする。
なお、この変形形態では、側面部２５３，２５４は、同一の楕円柱形状の一部であるとしたが、これに限らず、例えば、頂部１５２の曲率半径ｒよりも大きな半径を有する円柱形状の一部としてもよい。
【００４９】
図５（ｂ）に示す単位光学形状３５１は、頂部１５２と側面部３５３，３５４を有している。この側面部３５３，３５４は、それぞれ、シート面に平行な面となす角度が異なる２つの平面を有している。側面部３５３は、単位光学形状３５１の谷部側に第１側面３５３ａ，頂部１５２側に第２側面３５３ｂを有し、側面部３５４は、単位光学形状３５１の谷部側に第１側面３５４ａ，頂部１５２側に第２側面３５４ｂを有している。第１側面３５３ａ，３５４ａは、ともにシート面に平行な面に対して角度α２をなし、第２側面３５３ｂ，３５４ｂは、ともにシート面に平行な面に対して角度α３をなしている。
この単位光学形状３５１のように、側面部３５３，３５４がそれぞれ２つ以上の平面からなる場合であっても、単位光学形状３５１の頂点ｔ３と谷底となる点ｖ３とを通る直線が、シート面となす角度αＡが、３５°≦αＡ＜６０°を満たすものとする。
このように、複数の面で側面部を構成することにより、光制御シートの光学特性をより詳細に設計することができる。
なお、本実施形態では、第１側面と第２側面はその境目がはっきり認められるような角部を有して繋がっている例を示したが、これに限らず、例えば、曲面等によって滑らかに繋げられていてもよい。また、図５（ｂ）では、α３＜α２である例を示したが、例えば、α３＞α２としてもよい。
【００５０】
さらに、図５（ｃ）に示す単位光学形状４５１のように、側面部４５３，４５４が、平面から成る第１側面４５３ａ，４５４ａと、頂部１５２の曲率半径ｒよりも大きな曲率半径Ｒを有する曲面からなる第２側面４５３ｂ，４５４ｂとを備えるものとしてもよい。
このときも、単位光学形状４５１の頂点ｔ４と谷底となる点ｖ４とを通る直線が、シート面となす角度αＡが、３５°≦αＡ＜６０°を見たす３５°≦αＡ＜６０°を満たすものとする。
【００５１】
（２）本実施形態では、光制御シート１５は、熱可塑性樹脂を材料とし、単層押し出し成形によって形成される例を示したが、これに限らず、例えば、２層押し出し成形としてもよいし、紫外線硬化型樹脂を材料とし、基材となる基材部に紫外線硬化型樹脂を塗布し、単位光学形状の形状に応じた金型を押し当てて紫外線を照射して紫外線硬化型樹脂を硬化させることによって光学形状部を形成するＵＶ成形法を用いて形成してもよい。また、紫外線硬化型樹脂に限らず、電子線硬化型樹脂等の他の電離放射線硬化型樹脂を用いてもよい。
また、本実施形態では、光制御シート１５は、単層である例を示したが、これに限らず、例えば、上述のように、光制御シート１５のベースとなる基材層と、基材層の片面に形成され、複数の単位光学形状が形成された光学形状部とからなる２層構造等としてもよい。
【００５２】
（３）本実施形態では、単位光学形状１５１がシート面に沿って垂直方向に配列され、単位光学形状１５１の長手方向は水平方向となる例を示したが、これに限らず、単位光学形状１５１をシート面に沿って水平方向に配列し、その長手方向が垂直方向となる光制御シートとしてもよい。
通常、一般的な透過型表示装置であれば、垂直方向に比べて水平方向の視野角が広いことが好まれる。しかし、曲面からなる頂部１５２を備えず、頂角９０の二等辺三角形状の単位光学形状をシート面に沿って水平方向に配列した光制御シートの場合は、指向性が強いため、視野角特性（シート面の法線方向を０°とした場合の出射角度の変化）の変化が急峻であり、水平方向においてある角度を超えると急に画面が暗く映像を観察できなくなる。しかし、本実施形態の光制御シート１５であれば、頂部１５２の曲面が有する拡散作用によって、水平方向において適度に光を拡散させることができ、視野角特性の変化を緩やかにすることができる。
また、単位光学形状１５１をシート面に沿って水平方向（画面左右方向）に配列することにより、単位光学形状１５１を垂直方向（画面上下方向）に配列した場合とは、光制御シート１５を透過する光の偏光状態（Ｐ波、Ｓ波）の割合を変えることができる。これは、光がある界面へ入射するとき、その界面への入射角（界面の法線と入射光とがなす角度）に依存して、その界面における反射率及び透過率が変化し（例えば、共立出版社発行の「屈折率（山口重雄著）」）、これに伴い、偏光成分であるＰ波及びＳ波が異なる透過率（反射率）を呈することに起因し、単位光学形状１５１の配列方向を変えることによって光の出光面が変化することにより生じる。従って、ＬＣＤパネル１１の下側偏光板（不図示）を透過する偏光（例えば、Ｐ波）の量が増えるように配置すれば、ＬＣＤパネル１１を透過する光量が増え、輝度向上効果をさらに高めることができる。
【００５３】
（４）本実施形態では、入射面１５５を略平面としたが、好ましいヘイズ値の範囲内となるならば、微細な凹凸を付けてもよいし、出射面（単位光学形状１５１の表面）に微細凹凸を付けてもよい。また、光制御シート１５を形成する材料に拡散材を添加してもよいし、単位光学形状１５１の表層内側に拡散材を含有する散乱層等を設ける等してもよい。
【００５４】
（５）本実施形態では、面光源装置は、反射板１２、発光管１３、乳白板１４、光制御シート１５によって構成される例を示したが、これに限らず、例えば、光制御シート１５の出光側（ＬＣＤパネル１１側）に、さらに、拡散作用を有する光学シートを積層してもよいし、他のプリズムシート等を光制御シートと配列方向が直交するように配置してもよい。
【００５５】
（６）本実施形態では、面光源装置の光源部は、線光源である発光管１３を用いる例を示したが、これに限らず、例えば、点光源であるＬＥＤ（Ｌｉｇｈｔ  Ｅｍｉｔｔｉｎｇ  Ｄｉｏｄｅ）を発光源を２次元方向に配列して光源部として用いてもよいし、有機ＥＬ（Ｅｌｅｃｔｒｏｌｕｍｉｎｅｓｃｅｎｃｅ）や無機ＥＬ等の面発光するものを光源部として用いてもよい。
【００５６】
なお、本実施形態及び変形形態は、適宜組み合わせて用いることもできるが、詳細な説明は省略する。また、本発明は以上説明した実施形態によって限定されることはない。
【符号の説明】
【００５７】
１０    透過型表示装置
１１    ＬＣＤパネル
１２    反射板
１３    発光管
１４    乳白板
１５    光制御シート
１５１    単位光学形状
１５２    頂部
１５３，１５４    側面部
【図１】
2011232367.tif 000005
【図２】
2011232367.tif 000006
【図３】
2011232367.tif 000007
【図４】
2011232367.tif 000008
【図５】
2011232367.tif 000009